(57)【特許請求の範囲】
【請求項１】
液晶表示制御装置の液晶表示部を含む複数の構成部に対して電源をオフにするための処理を実行する制御部と、
前記液晶表示部への電力供給を遮断するための処理を実行する電源制御部と、
緊急遮断時に、前記液晶表示部への電力供給を緊急に遮断させるための信号を前記電源制御部に送る緊急遮断処理部と、
を備え、
通常遮断時には、
前記制御部は前記液晶表示部への電力供給を遮断させるための信号を前記電源制御部へ逐次送信し、前記電源制御部に前記液晶表示部への電力供給を通常時の手順に従って遮断させ、
緊急遮断時には、
前記制御部は前記緊急遮断処理部に対し、緊急遮断処理を指示する命令を発行し、
前記命令を受け取った前記緊急遮断処理部は、前記電力供給を緊急に遮断させるための信号を前記電源制御部へ逐次送信し、前記電源制御部に前記液晶表示部への電力供給を緊急時の手順に従って遮断させ、
前記緊急時の手順に従った遮断処理は、前記通常時の手順に従った遮断処理より、処理時間が短くなることを特徴とする液晶表示制御装置。
【請求項２】
液晶表示部を制御するためのデータを複数の信号線を用いて送信するデータ送信部と、
前記複数の信号線を用いて前記データ送信部から送られてきた前記データを受信するデータ受信部と、を備え
前記データ送信部は、
前記制御部から前記電力供給を遮断させるための信号を受信した場合には、シリアルデータ通信方式により前記信号を送信し、
前記制御部から前記緊急遮断処理を指示する命令が発行された場合には、前記複数の信号線の信号状態を通常の前記シリアルデータ通信方式では生じない特定の信号状態に切り替え、
前記データ受信部は、
前記電力供給を遮断させるための信号をシリアルデータ通信方式により受信した場合には、受信した信号を前記電源制御部へ送信し、
前記データ送信部において前記特定の信号状態に切り替えられたことを検出した場合には、前記緊急遮断処理部へ、前記制御部から前記緊急遮断処理を指示する命令が発行されたことを伝えることを特徴とする請求項１に記載の液晶表示制御装置。
【請求項３】
前記複数の信号線には、クロック信号線と、データ信号線と、チップセレクト信号線と、リセット信号線とが含まれ、
前記通常のシリアルデータ通信方式は、初期状態と、アイドル状態と、シリアルデータ通信状態との３つの状態のみを有し、
前記初期状態では、前記チップセレクト信号線のみがオンとなり、
前記アイドル状態では、前記チップセレクト線および前記リセット信号線のみがオンとなり、
前記シリアルデータ通信状態では、前記チップセレクト線がオフとなり、かつ前記リセット信号線がオンとなり、
前記特定の信号状態は、
前記チップセレクト線および前記リセット信号線がオフである、
または、前記チップセレクト線がオンであり、かつ前記クロック信号線または前記データ信号線の少なくともいずれかがオンである状態であることを特徴とする請求項２に記載の液晶表示制御装置。
【請求項４】
前記制御部は、前記液晶表示部が搭載された機器の電源に電圧降下が発生したときに、前記緊急遮断処理を指示する命令を発行することを特徴とする請求項１〜３のいずれか１項に記載の液晶表示制御装置。
【請求項５】
前記緊急時の手順に従った緊急遮断処理は、前記通常時の手順に従った遮断処理より、処理ステップ数が少ないことを特徴とする請求項１〜４のいずれか１項に記載の液晶表示制御装置。
【請求項６】
液晶表示制御装置の液晶表示部への電力供給を遮断する液晶表示制御方法であって、
通常遮断時には、
前記液晶表示部を含む複数の構成部に対して電源をオフにするための処理を実行する制御部において、前記液晶表示部への電力供給を遮断させるための信号を逐次送信するステップと、
前記制御部からの信号に基づき、前記液晶表示部への電力の供給を遮断するための処理を実行する電源制御部において、前記液晶表示部への電力供給を通常時の手順に従って遮断するステップと、を備え、
緊急遮断時には、
前記制御部において緊急遮断処理を指示する命令を発行するステップと、
前記命令を受け取った緊急遮断処理部において、前記液晶表示部への電力供給を緊急に遮断させるための信号を逐次送信するステップと、
前記緊急遮断処理部からの信号に基づき、前記電源制御部において、前記液晶表示部への電力供給を緊急時の手順に従って遮断するステップと、を備え
前記緊急時の手順に従った遮断処理は、前記通常時の手順に従った遮断処理より、処理時間が短くなることを特徴とする液晶表示制御方法。
【請求項７】
液晶表示部を備えた印刷装置であって、
前記液晶表示部を含む複数の構成部に対して電源をオフにするための処理を実行する制御部と、
前記液晶表示部への電力供給を遮断するための処理を実行する電源制御部と、
緊急遮断時に、前記液晶表示部への電力供給を緊急に遮断させるための信号を前記電源制御部に送る緊急遮断処理部と、
を備え、
通常遮断時には、
前記制御部は前記液晶表示部への電力供給を遮断させるための信号を前記電源制御部へ逐次送信し、前記電源制御部に前記液晶表示部への電力供給を通常時の手順に従って遮断させ、
緊急遮断時には、
前記制御部は前記緊急遮断処理部に対し、緊急遮断処理を指示する命令を発行し、
前記命令を受け取った前記緊急遮断処理部は、前記電力供給を緊急に遮断させるための信号を前記電源制御部へ逐次送信し、前記電源制御部に前記液晶表示部への電力供給を緊急時の手順に従って遮断させ、
前記緊急時の手順に従った遮断処理は、前記通常時の手順に従った遮断処理より、処理時間が短くなることを特徴とする印刷装置。
【発明の詳細な説明】
【技術分野】
【０００１】
本発明は、液晶表示制御装置、液晶表示制御方法、液晶表示装置および印刷装置に関する。
【背景技術】
【０００２】
液晶表示部は、電源がオフされる際に、所定の手順に従って電力の供給を遮断するための処理を行う必要がある。これは、液晶表示部への電力供給を直ちに断ち切った場合に、液晶表示部に電荷が残留するなどといった悪影響が生じる場合があるからである。液晶表示部に電荷が残留した場合、次回起動したときに液晶表示部が正常に表示されなかったり、画質が著く劣化するなどの不具合が発生することがあった。また、液晶表示部自体に大きなダメージを与える場合もあった。このため、液晶表示部への電力供給を遮断する場合には、所定の手順に従って遮断するための処理をする必要があった。
【０００３】
しかしながら、液晶表示部への電力供給の遮断が行われる場合には、ユーザーの操作等により電源がオフされる場合の他に、落雷等による停電やコンセントから抜かれるなどによって、電力供給が突然遮断される場合がある。このような場合、ユーザーの操作等により電源がオフされる場合と同じ手順に従って液晶表示部への電力供給を遮断していたのでは、処理が間に合わない。そこで、従来から、このように電源供給が瞬時に遮断される場合に対応すべく、機器の内部等にコンデンサ等の電気を蓄積する手段が設けられ、コンデンサ等に蓄積された電気を利用して電力供給を遮断するために緊急的な処理が行えるようになっている。
【特許文献１】特開平１１−２１２５２２号公報
【発明の開示】
【発明が解決しようとする課題】
【０００４】
しかしながら、従来から行われている緊急的な処理は、ＣＰＵに大きな負担がかかり、非常に手間を要し、大幅な時間がかかるとともに、ＣＰＵに大きな負担がかかることで他の構成部への電力供給を遮断するための処理に時間がかかり、非常に手間取るといった問題があった。このため、電力供給を遮断する処理が完了するまでに大幅な時間がかかり、電気を蓄積するためのコンデンサ等の容量の大型化を招くといった不都合が生じていた。
【０００５】
本発明は、このような事情に鑑みてなされたものであって、その目的は、停電やコンセント抜きなどにより電源が遮断された場合に、液晶表示部への電力供給を遮断する処理を速やかに実行し得るようにすることにある。
【課題を解決するための手段】
【０００６】
前記目的を達成するための主たる発明は、
液晶表示制御装置の液晶表示部を含む複数の構成部に対して電源をオフにするための処理を実行する制御部と、
前記液晶表示部への電力供給を遮断するための処理を実行する電源制御部と、
緊急遮断時に、前記液晶表示部への電力供給を緊急に遮断させるための信号を前記電源制御部に送る緊急遮断処理部と、
を備え、
通常遮断時には、
前記制御部は前記液晶表示部への電力供給を遮断させるための信号を前記電源制御部へ逐次送信し、前記電源制御部に前記液晶表示部への電力供給を通常時の手順に従って遮断させ、
緊急遮断時には、
前記制御部は前記緊急遮断処理部に対し、緊急遮断処理を指示する命令を発行し、
前記命令を受け取った前記緊急遮断処理部は、前記電力供給を緊急に遮断させるための信号を前記電源制御部へ逐次送信し、前記電源制御部に前記液晶表示部への電力供給を緊急時の手順に従って遮断させ、
前記緊急時の手順に従った遮断処理は、前記通常時の手順に従った遮断処理より、処理時間が短くなることを特徴とする液晶表示制御装置である。
【０００７】
本発明の他の特徴は、本明細書及び添付図面の記載により明らかにする。
【発明を実施するための最良の形態】
【０００８】
本明細書及び添付図面の記載により、少なくとも以下の事項が明らかとなる。
【０００９】
（Ａ）液晶表示部を制御するためのデータをシリアルデータ通信方式により複数の信号線を用いて送信するデータ送信部と
（Ｂ）前記複数の信号線を用いて前記データ送信部から送られてきた前記データを受信するデータ受信部と、
（Ｃ）前記データ受信部が前記データとして受信した命令に従って、前記液晶表示部の電力の供給を遮断するための処理を実行する電源制御部と、
（Ｄ）前記データ送信部に設けられ、前記複数の信号線の信号状態を通常の前記シリアルデータ通信方式では生じない特定の信号状態に切り替える切り替え回路と、
（Ｅ）前記データ受信部に設けられ、前記複数の信号線の信号状態が前記特定の信号状態に切り替えられたことを検出する検出回路と、
（Ｆ）前記検出回路により前記複数の信号線が前記特定の信号状態に切り替えられたことが検出されたときに、前記液晶表示部の電力の供給を遮断するための処理を実行するための遮断処理回路と、
（Ｇ）を備えたことを特徴とする液晶表示制御装置。
【００１０】
このような液晶表示制御装置にあっては、液晶表示部を制御するためのデータをシリアルデータ通信方式にて送信するために用いられる複数の信号線の信号状態を通常のシリアルデータ通信方式では生じない特定の信号状態に切り替えれることで、遮断処理回路により液晶表示部の電力の供給を遮断するための処理を実行することができる。このことから、シリアルデータ通信方式により複数の信号線を用いてデータとして命令を送信して電源制御部により処理を実行するよりも簡単に液晶表示部の電力の供給を遮断することができる。
【００１１】
かかる液晶表示制御装置にあっては、前記複数の信号線には、クロック信号線と、データ信号線と、チップセレクト信号線と、リセット信号線とが含まれていても良い。このような信号線が含まれていることで、通常のシリアルデータ通信方式では生じない特定の信号状態を簡単に設定することができる。
【００１２】
かかる液晶表示制御装置にあっては、前記特定の信号状態は、前記複数の信号線の各信号状態の組合せにより規定されても良い。このように特定の信号状態が複数の信号線の各信号状態の組合せにより規定されることで、簡単に特定の状態を設定することができる。
【００１３】
かかる液晶表示制御装置にあっては、前記切り替え回路は、外部からの信号により前記複数の信号線の信号状態を前記特定の信号状態に切り替えても良い。このように切り替え回路が外部からの信号により複数の信号線の信号状態を特定の信号状態に切り替えることで、遮断処理回路によって液晶表示部の電力の供給を遮断するための処理を簡単に実行することができる。
【００１４】
かかる液晶表示制御装置にあっては、前記切り替え回路は、ＣＰＵからの命令により前記複数の信号線の信号状態を前記特定の信号状態に切り替えても良い。このように切り替え回路がＣＰＵからの命令により複数の信号線の信号状態を特定の信号状態に切り替えることで、遮断処理回路により液晶表示部の電力の供給を遮断するための処理を簡単に実行することができる。
【００１５】
かかる液晶表示制御装置にあっては、前記切り替え回路は、前記液晶表示部が搭載された機器の電源に電圧降下が発生したときに、前記複数の信号線の信号状態を前記特定の信号状態に切り替えても良い。このように切り替え回路が液晶表示部が搭載された機器の電源に電圧降下が発生したときに複数の信号線の信号状態を特定の信号状態に切り替えることで、遮断処理回路により液晶表示部の電力の供給を遮断するための処理を簡単に実行することができる。
【００１６】
かかる液晶表示制御装置にあっては、前記電源制御部が実行する前記処理と、前記遮断処理回路が実行する前記処理とが異なっても良い。このように電源制御部が実行する処理と、遮断処理回路が実行する処理とが異なることで、電源制御部と遮断処理回路とによりそれぞれ別々の液晶表示部の電力の供給を遮断するための処理を実施することができる。
【００１７】
かかる液晶表示制御装置にあっては、前記遮断処理回路が実行する前記処理は、前記電源制御部が実行する前記処理よりも処理時間が短くても良い。このように遮断処理回路が実行する処理が、電源制御部が実行する処理よりも処理時間が短ければ、遮断処理回路により液晶表示部の電力の供給を緊急に遮断することができる。
【００１８】
かかる液晶表示制御装置にあっては、前記遮断処理回路は、前記液晶表示部の電力の供給を遮断するための処理を前記電源制御部により実行しても良い。このように遮断処理回路が、液晶表示部の電力の供給を遮断するための処理を電源制御部により実行することで、液晶表示部の電力の供給を簡単に遮断することができる。
【００１９】
（Ａ）液晶表示部を制御するためのデータをシリアルデータ通信方式により複数の信号線を用いて送信するデータ送信部と
（Ｂ）前記複数の信号線を用いて前記データ送信部から送られてきた前記データを受信するデータ受信部と、
（Ｃ）前記データ受信部が前記データとして受信した命令に従って、前記液晶表示部の電力の供給を遮断するための処理を実行する電源制御部と、
（Ｄ）前記データ送信部に設けられ、前記複数の信号線の信号状態を通常の前記シリアルデータ通信方式では生じない特定の信号状態に切り替える切り替え回路と、
（Ｅ）前記データ受信部に設けられ、前記複数の信号線の信号状態が前記特定の信号状態に切り替えられたことを検出する検出回路と、
（Ｆ）前記検出回路により前記複数の信号線が前記特定の信号状態に切り替えられたことが検出されたときに、前記液晶表示部の電力の供給を遮断するための処理を実行するための遮断処理回路と、
（Ｇ）を備え、
（Ｈ）前記複数の信号線には、クロック信号線と、データ信号線と、チップセレクト信号線と、リセット信号線とが含まれ、
（Ｉ）前記特定の信号状態は、前記複数の信号線の各信号状態の組合せにより規定され、
（Ｊ）前記切り替え回路は、前記液晶表示部が搭載された機器の電源に電圧降下が発生したときに、前記複数の信号線の信号状態を前記特定の信号状態に切り替え、
（Ｋ）前記電源制御部が実行する前記処理と、前記遮断処理回路が実行する前記処理とが異なり、
（Ｌ）前記遮断処理回路が実行する前記処理は、前記電源制御部が実行する前記処理よりも処理時間が短く、
（Ｍ）前記遮断処理回路は、前記液晶表示部の電力の供給を遮断するための処理を前記電源制御部により実行することを特徴とする液晶表示制御装置。
【００２０】
（Ａ）液晶表示部を制御するためのデータをシリアルデータ通信方式により複数の信号線を用いて送信するステップと、
（Ｂ）前記複数の信号線を用いて前記データ送信部から送られてきた前記データを受信するステップと、
（Ｃ）前記データとして受信した命令に従って、前記液晶表示部の電力の供給を遮断するための処理を実行するステップと、
（Ｄ）前記複数の信号線の信号状態を通常の前記シリアルデータ通信方式では生じない特定の信号状態に切り替えるステップと、
（Ｅ）前記複数の信号線の信号状態が前記特定の信号状態に切り替えられたことを検出するステップと、
（Ｆ）前記複数の信号線が前記特定の信号状態に切り替えられたことが検出されたときに、前記液晶表示部の電力の供給を遮断するための処理を実行するステップと、
（Ｇ）を有することを特徴とする液晶表示制御方法。
【００２１】
（Ａ）液晶表示部と、
（Ｂ）前記液晶表示部を制御するためのデータをシリアルデータ通信方式により複数の信号線を用いて送信するデータ送信部と
（Ｃ）前記複数の信号線を用いて前記データ送信部から送られてきた前記データを受信するデータ受信部と、
（Ｄ）前記データ受信部が前記データとして受信した命令に従って、前記液晶表示部の電力の供給を遮断するための処理を実行する電源制御部と、
（Ｅ）前記データ送信部に設けられ、前記複数の信号線の信号状態を通常の前記シリアルデータ通信方式では生じない特定の信号状態に切り替える切り替え回路と、
（Ｆ）前記データ受信部に設けられ、前記複数の信号線の信号状態が前記特定の信号状態に切り替えられたことを検出する検出回路と、
（Ｇ）前記検出回路により前記複数の信号線が前記特定の信号状態に切り替えられたことが検出されたときに、前記液晶表示部の電力の供給を遮断するための処理を実行するための遮断処理回路と、
（Ｈ）を備えたことを特徴とする液晶表示装置。
【００２２】
（Ａ）媒体に対して印刷を施す印刷部と、
（Ｂ）液晶表示部と、
（Ｃ）前記液晶表示部を制御するためのデータをシリアルデータ通信方式により複数の信号線を用いて送信するデータ送信部と
（Ｄ）前記複数の信号線を用いて前記データ送信部から送られてきた前記データを受信するデータ受信部と、
（Ｅ）前記データ受信部が前記データとして受信した命令に従って、前記液晶表示部の電力の供給を遮断するための処理を実行する電源制御部と、
（Ｆ）前記データ送信部に設けられ、前記複数の信号線の信号状態を通常の前記シリアルデータ通信方式では生じない特定の信号状態に切り替える切り替え回路と、
（Ｇ）前記データ受信部に設けられ、前記複数の信号線の信号状態が前記特定の信号状態に切り替えられたことを検出する検出回路と、
（Ｈ）前記検出回路により前記複数の信号線が前記特定の信号状態に切り替えられたことが検出されたときに、前記液晶表示部の電力の供給を遮断するための処理を実行するための遮断処理回路と、
（Ｉ）を備えたことを特徴とする印刷装置。
【００２３】
＝＝＝複合装置の概要＝＝＝
本発明に係る液晶表示制御装置等について、液晶表示制御装置を備えた複合装置を例にして説明する。この複合装置は、原稿から画像を読み取って画像データを生成するスキャナ部（画像読み取り部）と、媒体に対して印刷を施す印刷部とを備えている。
【００２４】
図１〜図５は、複合装置の一例について説明したものである。図１は、複合装置１の外観を示した斜視図である。図２は、複合装置１のスキャナ部１０の概要を説明する斜視図である。図３は、複合装置１のプリンタ部の概要を説明する斜視図である。図４は、複合装置１の操作パネル２を説明する平面図である。図５は、複合装置１のシステム構成例を説明した図である。
【００２５】
この複合装置１は、原稿から画像を読み取って画像データを生成するスキャナ機能と、ホストコンピュータ（図示外）から送られてきた印刷データに基づき印刷用紙等の各種媒体に印刷を施すプリンタ機能と、原稿から読み取った画像を媒体に印刷して複写するローカルコピー機能とを備えている。この複合装置１は、図１に示すように、その上部７２に原稿５から画像を読み取るためのスキャナ部１０を備えている。また、この複合装置１は、その下部７４に印刷用紙等の媒体Ｓに印刷をするためのプリンタ部３０を備えている。また、この複合装置１の前面部には、操作パネル２と、カードリーダ部２０とが設けられている。
【００２６】
スキャナ部１０は、図２に示すように、原稿５がセットされるガラス板が設けられた原稿台１１と、当該原稿台１１を上方から覆う原稿台カバー１２とを備えている。原稿台カバー１２は、複合装置１の後端部に回動可能に取付けられ、原稿台１１の上面部を開閉するように設けられている。
【００２７】
一方、プリンタ部３０は、図３に示すように、スキャナ部１０を上方に持ち上げることによって、その内部が外部に開放されるように構成されている。つまり、スキャナ部１０は、複合装置１の後部にヒンジ部３４を介して回動自在に装着されている。スキャナ部１０が上方へと持ち上げられると、プリンタ部３０の内部が開放される。プリンタ部３０の内部には、キャリッジ４１などが配置されている。このキャリッジ４１には、インクを吐出するヘッド（図示外）が設けられている。ヘッドは、キャリッジ４１とともに移動しながら用紙等の媒体に向けてインクを吐出して印刷を施す。
【００２８】
この他に、プリンタ部３０には、媒体を搬送する搬送部（不図示）が設けられている。この搬送部は、複合装置１の背部に設けられた背部給紙口２２又は複合装置１の前部に設けられた前部給紙口２３にセットされた媒体をプリンタ部３０の内部へと送り込み、そして、ヘッドにより印刷された媒体を、複合装置１の前部に設けられた排紙トレイ２４を通じて排紙する。
【００２９】
また、複合装置１の下部７４の前面の左右には、インクカートリッジカバー２５が設けられている。インクカートリッジ２６の取り付け時又は交換時、ユーザは、このインクカートリッジカバー２５を開き、インクカートリッジ２６を取り付け又は交換する。取り付け後又は交換後にユーザがインクカートリッジカバー２５を閉じることにより、インクカートリッジ２６のセットが完了する。このインクカートリッジ２６には、インクが収容されており、このインクは、キャリッジ４１に搭載されたヘッドに供給される。
【００３０】
＝＝＝操作パネル＝＝＝
図４は、操作パネル２について詳しく説明した図である。操作パネル２は、液晶ディスプレイ８０と、各種ボタンを有する。ここで設けられているボタンの種類としては、例えば、電源ボタン４２、設定ボタン４３、ストップボタン４４、モード選択ボタン４５、カーソル操作ボタン群４６、スタートボタン４７等がある。電源ボタン４２は、複合装置１の電源をオン／オフするためのボタンである。設定ボタン４３は、ヘッドクリーニング、ノズルチェック、インク残量等の設定や確認を行うためのボタンである。ストップボタン４４は、動作中の機能を中止するためのボタンである。モード選択ボタン４５は、複合装置１の機能の選択を行うためのボタンである。カーソル操作ボタン群４６は、液晶ディスプレイ８０に表示される項目の設定等を行うためのボタンである。スタートボタン４７は、カラーボタン４７Ｃ及びモノクロボタン４７Ｂを有し、カラー印刷又はモノクロ印刷の開始に用いられる。
【００３１】
＝＝＝制御部の構成＝＝＝
次にこの複合装置１の内部に搭載された制御部５０の構成について説明する。図５は、この制御部５０の構成の一例を説明するためのブロック構成図である。
【００３２】
この制御部５０は、複合装置１全体の制御を司るＣＰＵ９０と、制御のためのプログラムを記憶したメモリ９２と、スキャナ機能、プリント機能、ローカルコピー機能の各制御を司る制御ＡＳＩＣ９４と、ＣＰＵ９０から直接データを読み書き可能なＳＤＲＡＭ９６と、操作入力インターフェイス１４２と、ＬＣＤモジュールインターフェイス１４４と、シリアルデータ送信部２１６とがＣＰＵバス９８により接続されている。制御ＡＳＩＣ９４には、ＡＳＩＣ用ＳＤＲＡＭ１０２が設けられている。
【００３３】
制御ＡＳＩＣ９４は、スキャナコントロールユニット１０４と、リサイズユニット１０６と、２値化処理ユニット１０８と、インターレース処理ユニット１１０と、イメージバッファユニット１１２と、ＣＰＵインターフェイスユニット１１４と、ヘッドコントロールユニット１１６と、外部のホストコンピュータ１４０との入出力手段としてのＵＳＢインターフェイス１１８と、ローカルバス１２８とを備えている。また、ＡＳＩＣ用ＳＤＲＡＭ１０２には、ラインバッファ１２０、リサイズバッファ１２２、インターレースバッファ１２４、イメージバッファ１２６、１２７がそれぞれ割り当てられて設けられている。
【００３４】
スキャナコントロールユニット１０４は、スキャナ部１０に設けられた露光ランプやイメージセンサ、駆動モータ等を制御する。スキャナコントロールユニット１０４は、スキャナ部１０により読み込んだ画像データを送出する。  
リサイズユニット１０６は、所定のサイズの画像データを受け取り、その画像データのサイズを変更し、サイズ変更された画像データを送出する。２値化処理ユニット１０８は、送出された多階調のＲＧＢデータをＣＭＹＫの２値データ（又は２ビットデータ）に変換して、インターレース処理ユニット１１０に送出する。  
インターレース処理ユニット１１０は、２値化処理ユニットから送られてきたＣＭＹＫの２値データ（又は２ビットデータ）を、ＡＳＩＣ側ＳＤＲＡＭ１０２のインターレースバッファ１２４に格納する。そして、インターレース処理ユニット１１０は、インターレースバッファ１２４に格納されたＣＭＹＫの２値データ（又は２ビットデータ）を所定のサイズ毎に読み出して、ノズル配列に対応させるべく並び替えてイメージバッファユニット１１２に送出する。
【００３５】
イメージバッファユニット１１２では、インターレース処理ユニット１１０から送出されたデータから、プリンタ用のキャリッジ４１の移動毎の各ノズルにインクを吐出させるためのヘッド駆動データを生成する。ここでイメージバッファユニット１１２は、ＳＤＲＡＭ１０２上に設けられたイメージバッファ１２６、１２７にヘッド駆動データを格納する。イメージバッファ１２６、１２７には、それぞれプリンタ用のキャリッジ４１が１回移動する毎のヘッド駆動データが格納される。
【００３６】
ＣＰＵインターフェイスユニット１１４は、制御ＡＳＩＣ９４に接続されたＡＳＩＣ用ＳＤＲＡＭ１０２へのＣＰＵ９０からのアクセスを可能にしている。ここでは、ＣＰＵインターフェイスユニット１１４を介して、イメージバッファユニット１１２により生成されたヘッド駆動データがイメージバッファ１２６、１２７からヘッドコントロールユニット１１６へと送出される。  
ヘッドコントロールユニット１１６は、ＣＰＵ９０により送られてきたヘッド駆動データに基づきヘッドを駆動して、ヘッドの各ノズルからインクを吐出させる。
【００３７】
操作入力インターフェイス１４２は、操作パネル２等に設けられた各種ボタンやスイッチ等からなる操作部１４６に接続されている。ここで、操作部１４６には、電源ボタン４２、設定ボタン４３、ストップボタン４４、モード選択ボタン４５、カーソル操作ボタン群４６、スタートボタン４７（カラーボタン４７Ｃ及びモノクロボタン４７Ｂ）が含まれる。操作入力インターフェイス１４２は、操作部１４６から操作入力情報を取得して、ＣＰＵ９０に伝達する。ＣＰＵ９０は、操作入力インターフェイス１４２からの操作入力情報に基づき処理を実行する。
【００３８】
また、ＬＣＤモジュールインターフェイス１４４およびシリアルデータ送信部２１６は、ＬＣＤモジュール２００に接続されている。ＬＣＤモジュール２００は、操作パネル２に設けられた液晶ディスプレイ８０と、この液晶ディスプレイ８０を制御するコントロールユニットとが一体化されたモジュールとなっている。このＬＣＤモジュール２００については後で詳しく説明する。ＣＰＵ９０は、このＬＣＤモジュールインターフェイス１４４およびシリアルデータ送信部２１６を介してＬＣＤモジュール２００を制御して、液晶ディスプレイ８０に適宜画像を表示する。
【００３９】
＝＝＝制御部５０内のデータの流れ＝＝＝
＜スキャナ機能時について＞
制御ＡＳＩＣ９４のＵＳＢインターフェイス１１８に接続されたホストコンピュータ１４０から、スキャナ部１０による画像読み取り指令信号と、読み取り解像度、読み取り領域等の読み取り情報データとが制御部５０に送信される。制御部５０では、画像読み取り指令信号と読み取り情報データとに基づいて、スキャナコントロールユニット１０４が制御され、スキャナ部１０による原稿５の読み取りが開始される。このとき、スキャナコントロールユニット１０４は、スキャナ部１０の露光ランプやイメージセンサ、駆動機構等を駆動して順次画像データとして読み込む。そして、スキャナコントロールユニット１０４は、読み込んだ画像データをＡＳＩＣ用ＳＤＲＡＭ１０２のラインバッファ１２０に一旦格納する。そして、スキャナコントロールユニット１０４は、ラインバッファ１２０に格納した画像データに対してライン間補正処理等を施して、ＵＳＢインターフェイス１１８を介してホストコンピュータ１４０に出力する。
【００４０】
＜プリンタ機能時について＞
プリンタ機能時には、ホストコンピュータ１４０のプリンタドライバが画像データをヘッド駆動データに変換し、ヘッド駆動データがＵＳＢインターフェイス１１８から入力される。ヘッド駆動データは、ＣＰＵバス９８に接続されたＳＤＲＡＭ９６に割り付けられたイメージバッファ１３２に記憶される。イメージバッファ１３２は、２つに分けられたメモリ領域（イメージバッファ１３３、１３４）を備えている。各イメージバッファ１３３、１３４は、プリンタ用のキャリッジ４１の１回の移動により印刷するためのヘッド駆動データを記憶することができる容量を有する。そして、一方のイメージバッファ１３３に１回の移動分のデータが書き込まれると、ヘッドコントロールユニット１１６に転送される。このとき、一方のイメージバッファ１３３のヘッド駆動データがヘッドコントロールユニット１１６に転送されると、他方のイメージバッファ１３４には次の移動の際に印刷するためのヘッド駆動データが記憶される。そして他方のイメージバッファ１３４に１回の移動分のデータが書き込まれると、ヘッドコントロールユニット１１６に転送され、前記一方のイメージバッファ１３３にイメージデータが書き込まれる。このように、２つのイメージバッファ１３３，１３４を用いて、ヘッド駆動データの書き込み、読み出しを交互に行いながらヘッドコントロールユニット１１６によりヘッドが駆動されて印刷が実行される。
【００４１】
＜コピー機能時について＞
次に、コピー機能時におけるデータの流れを説明する。スキャナ部１０により読み込まれたデータは、スキャナコントロールユニット１０４を介してラインバッファ１２０に取り込まれる。ラインバッファ１２０に取り込まれた画像データは、ライン間補正処理が順次施された後、スキャナコントロールユニット１０４から２値化処理ユニット１０８へと送出される。  
２値化処理ユニット１０８に送り込まれた画像データは、ＡＳＩＣ用ＳＤＲＡＭ１０２内に格納されているルックアップテーブル１３６に基づき、ＣＭＹＫの色毎の２値データに変換されて、インターレース処理ユニット１１０に送り込まれる。
【００４２】
インターレース処理ユニット１１０に送り込まれたＣＭＹＫの２値データは、ＡＳＩＣ側ＳＤＲＡＭ１０２のインターレースバッファ１２４に格納されて、インターレース処理ユニット１１０により、ノズル配列に対応させるべく並び替えられる。そして、インターレース処理ユニット１１０によって並び替えられたデータは、イメージバッファユニット１１２へと送られる。  
イメージバッファユニット１１２では、インターレース処理ユニット１１０から送られてきたデータを、プリンタ用のキャリッジ４１の移動毎の各ノズル♯１〜♯１８０にインクを吐出させるためのヘッド駆動データとなるように整列させてイメージバッファ１２６，１２７に記憶する。  
イメージバッファ１２６、１２７に記憶された移動毎のヘッド駆動データは、ＣＰＵインターフェイスユニット１１４を介してＣＰＵ９０により読み出されてヘッドコントロールユニット１１６に転送される。ヘッドコントロールユニット１１６は、転送されてきたヘッド駆動データに基づいてヘッドを駆動して印刷を実行する。
【００４３】
＝＝＝ＬＣＤモジュール＝＝＝
図６は、ＬＣＤモジュール２００について説明したものである。ＬＣＤモジュール２００は、同図に示すように、液晶ディスプレイ８０と、コントロールユニット２０２と、フレームメモリ２０６と、液晶ディスプレイ８０の電源を制御する電源制御部２１４とを備えている。さらに、コントロールユニット２０２には、通信インターフェイス２１２と、シリアルデータ受信部２１８と、タイミングコントローラ２０８と、フレームメモリコントローラ２０４とが設けられている。この他に、本実施形態のコントロールユニット２０２には、緊急遮断処理回路２２０が設けられている。なお、液晶ディスプレイ８０は、「液晶表示部」に相当する。また、シリアルデータ受信部２１８は、「データ受信部」に相当する。また、シリアルデータ送信部２１６は、「データ送信部」に相当する。また、緊急遮断処理回路２２０は、「遮断処理回路」に相当する。
【００４４】
通信インターフェイス２１２は、ＬＣＤモジュールインターフェイス１４４との間でデータの送受信を行う役割を果たす。具体的には、通信インターフェイス２１２は、ＣＰＵ９２によりメモリ９２から読み出されてＬＣＤモジュールインターフェイス１４４を通じて送られてきた液晶ディスプレイ８０に表示すべき画像のデータを受信する。
【００４５】
一方、シリアルデータ受信部２１８は、シリアルデータ送信部２１６からシリアルデータ通信方式にて送られてきたデータを受信する。ここでは、シリアルデータ受信部２１８は、液晶ディスプレイ８０や電源制御部２１４等を制御するためのコマンドやパラメータなどといったデータをＣＰＵ９２からシリアルデータ送信部２１６を通じて受信する。
【００４６】
フレームメモリコントローラ２０４は、通信インターフェイス２１２が受信した画像のデータをフレームメモリ２０６に書き込む処理を行う。また、フレームメモリコントローラ２０４は、タイミングコントローラからの命令によりフレームメモリ２０６に格納された画像のデータを読み出す処理を行う。
【００４７】
フレームメモリ２０６には、液晶ディスプレイ８０に表示される画像のデータが格納される。液晶ディスプレイ８０に表示される画像が変更される場合には、当該フレームメモリ２０６に格納されているデータが書き替えられる。すなわち、液晶ディスプレイ８０に表示されるメニュー画面等が切り替えられるときには、当該フレームメモリ２０６に格納されているデータが書き替えられる。また、液晶ディスプレイ８０に動画が表示される際には、当該フレームメモリ２０６に格納されているデータが逐次書き替えられる。
【００４８】
タイミングコントローラ２０８は、フレームメモリコントローラ２０４を通じてフレームメモリ２０６に格納されている画像のデータを所定の周期で読み出す。そして、タイミングコントローラ２０８は、読み出した一画面分の画像のデータから液晶ディスプレイ８０に表示するための信号を生成し、その信号を液晶ディスプレイ８０に出力する。液晶ディスプレイ８０は、タイミングコントローラ２０８から出力された信号に基づき画像を表示する。
【００４９】
他方、シリアルデータ受信部２１８により受信されたコマンドやパラメータ等のデータは、液晶ディスプレイ８０へと送られたり、また電源制御部２１４へと送られたりする。液晶ディスプレイ８０は、シリアルデータ受信部２１８から送られてきたコマンドやパラメータ等に基づき、コントラストや明るさ、色合いなどといった画質の調整や、表示位置の調整などを行うようになっている。また、電源制御部２１４は、シリアルデータ受信部２１８から送られてきたコマンド等に基づき、液晶ディスプレイ８０の電源をオンしたりオフしたりする処理を実行する。
【００５０】
また、緊急遮断処理回路２２０は、落雷等による停電やコンセントから抜かれるなどして、電源供給が遮断された場合等において、電源制御部２１４に対して液晶ディスプレイ８０の電源を緊急にオフするための処理を実行させる回路である。この緊急遮断処理回路２２０の動作については、後で詳しく説明する。
【００５１】
＝＝＝緊急遮断処理＝＝＝
ここで、落雷等による停電やコンセントから抜かれるなどして、電源供給が遮断された場合において、液晶ディスプレイ８０への電力供給を緊急に遮断する手順について説明する。
【００５２】
（１）電源供給遮断の検出
落雷等による停電やコンセントから抜かれるなどして、電源供給が遮断された場合、このことがＣＰＵ９０に伝達される。ＣＰＵ９０は、機器内部（ここでは複合装置１内部）に搭載された電源回路等に設けられた電圧監視回路等を通じて、電源供給が遮断されたことを検出することができる。具体的には、停電やコンセントから抜かれるなどして電源供給が遮断されると、電圧監視回路等により電源電圧の降下が検出される。電圧監視回路等は、電源電圧の降下を検出すると、このことをＣＰＵ９０に伝達する。ＣＰＵ９０は、電圧監視回路等により電源電圧の降下が検出された場合、直ちに機器内部（ここでは複合装置１内部）の各構成部に対して電源をオフするための処理を実行する。ここで、本実施形態の液晶ディスプレイ８０についても同様、直ちに電源をオフするための処理が実行される。
【００５３】
（２）電力供給を遮断するための命令の伝達
ＣＰＵ９０は、電圧監視回路等により電源電圧の降下が検出された場合に、液晶ディスプレイ８０について電力供給を所定の手順にて遮断するために、液晶ディスプレイ８０の電源制御部２１４に液晶ディスプレイ８０の電力供給を遮断する処理を実行させる。ここで、従来、ＣＰＵ９０は、シリアルデータ送信部２１６を通じてＬＣＤモジュール２００に逐次コマンドを送信して、ＬＣＤモジュール２００内の電源制御部２１４に対して液晶ディスプレイ８０の電力供給を遮断する処理を実行させていた。しかしながら、このようにＣＰＵ９０がＬＣＤモジュール２００に逐次コマンドを送信して液晶ディスプレイ８０の電力供給を遮断していたのでは、液晶ディスプレイ８０の電源をオフするまでに相当な時間がかかり、大幅な電力消費を招きかねない。また、ＣＰＵ９０が液晶ディスプレイ８０の電力供給を遮断する処理に手間取っている間に、他の構成部に対して電力供給を遮断する処理が遅れることになり、さらに余計な電力消費を招きかねない。このように余計な電力消費を招いた場合、電力供給の遮断処理を実行するための電気を蓄積するためのコンデンサ等の容量を増やさなければならない。
【００５４】
そこで、本実施形態では、ＬＣＤモジュール２００のコントロールユニット２０２内に電源制御部２１４に対して液晶ディスプレイ８０の電力供給を緊急に遮断させるための処理を実行させるための緊急遮断処理回路２２０を備えている。この緊急遮断処理回路２２０は、ＣＰＵ９０に代わって、電源制御部２１４に対して液晶ディスプレイ８０の電力供給を緊急に遮断させる処理を行わせるためのものである。この緊急遮断処理回路２２０は、液晶ディスプレイ８０の電源制御部２１４に対して、例えば、コマンドを送信したり、また制御信号を出力したりすることによって、電源制御部２１４に液晶ディスプレイ８０の電力供給を緊急に遮断させる処理を実行させる。このため、ＣＰＵ９０は、液晶ディスプレイ８０の電力供給を緊急に遮断させる場合には、この緊急遮断処理回路２２０に対してその旨の命令を発行させるだけの処理で済む。
【００５５】
ＣＰＵ９０から緊急遮断処理回路２２０への命令の伝達は、シリアルデータ送信部２１６からシリアルデータ受信部２１８へとシリアルデータとして行う方法がある。しかしながら、このような方法では、命令を伝達するためにより多くの処理と時間がかかってしまう。そこで、本実施形態では、ＣＰＵ９０から緊急遮断処理回路２２０への命令の伝達を短時間で実行するために、次のような方法を実施している。
【００５６】
（３）命令伝達方法
図７は、ＣＰＵ９０から緊急遮断処理回路２２０への命令の伝達を短時間で実行するための方法について説明したものである。ここでは、シリアルデータ送信部２１６とシリアルデータ受信部２１８との間の複数の信号線を利用して、ＣＰＵ９０から緊急遮断処理回路２２０に対して、液晶ディスプレイ８０の電力供給を緊急に遮断するための命令を伝達している。
【００５７】
シリアルデータ送信部２１６とシリアルデータ受信部２１８との間には、同図に示すように、両者間にてシリアルデータ通信を行うために、ここでは、チップセレクト信号線（以下、単に『ＸＣＳ』ともいう）と、クロック信号線（以下、単に『ＳＣＬＫ』ともいう）と、データ信号線（以下、単に『ＳＤＡＴＡ』ともいう）と、リセット信号線（以下、単に『ＸＲＥＳ』ともいう）との４本の信号線が設けられている。シリアルデータ送信部２１６とシリアルデータ受信部２１８との間でシリアルデータ通信を行う場合には、これら４本の信号線『ＸＣＳ』、『ＳＣＬＫ』、『ＳＤＡＴＡ』および『ＸＲＥＳ』を用いて、所定のプロトコル、即ちシリアルデータ通信方式のプロトコルに従ってデータの送受信を行うようになっている。なお、これら４本の信号線『ＸＣＳ』、『ＳＣＬＫ』、『ＳＤＡＴＡ』および『ＸＲＥＳ』は、「複数の信号線」に相当する。
【００５８】
しかしながら、ＣＰＵ９０から緊急遮断処理回路２２０に対して液晶ディスプレイ８０の電力供給を緊急に遮断させる旨の命令をシリアルデータ通信方式にて伝達していたのでは、非常に時間がかかってしまう。そこで、本実施形態では、ＣＰＵ９０から緊急遮断処理回路２２０に対して液晶ディスプレイ８０の電力供給を緊急に遮断させるための命令を発行するときには、シリアルデータ送信部２１６とシリアルデータ受信部２１８との間の４本の信号線『ＸＣＳ』、『ＳＣＬＫ』、『ＳＤＡＴＡ』および『ＸＲＥＳ』の信号状態を通常のシリアルデータ通信方式では生じない特定の信号状態に変更して、シリアルデータ送信部２１６からシリアルデータ受信部２１８へと命令を伝達する。
【００５９】
ここでは、シリアルデータ送信部２１６には、４本の信号線『ＸＣＳ』、『ＳＣＬＫ』、『ＳＤＡＴＡ』および『ＸＲＥＳ』の信号状態を通常のシリアルデータ通信方式では生じない特定の信号状態に切り替えるためのセレクタ回路２２２が設けられている。なお、このセレクタ回路２２２は、「切り替え回路」に相当する。また、シリアルデータ受信部２１８には、４本の信号線『ＸＣＳ』、『ＳＣＬＫ』、『ＳＤＡＴＡ』および『ＸＲＥＳ』の信号状態が通常のシリアルデータ通信方式では生じない特定の信号状態に切り替わったことを検出するための信号状態検出回路２２４が設けられている。なお、この信号状態検出回路２２４は、「検出回路」に相当する。
【００６０】
シリアルデータ送信部２１６のセレクタ回路２２２は、ＣＰＵ９０から命令があると、直ちに、４本の信号線『ＸＣＳ』、『ＳＣＬＫ』、『ＳＤＡＴＡ』および『ＸＲＥＳ』への出力をシリアルデータ通信制御部２２６からＣＰＵポート制御部２２８へと切り替える。ここで、シリアルデータ通信制御部２２６は、ＬＣＤモジュール２００側のコントロールユニット２０２のシリアルデータ受信部２１８との間でシリアルデータ通信を行ってシリアルデータを送信するための制御部である。シリアルデータ送信部２１６からシリアルデータ受信部２１８へとシリアルデータとして送信されるデータは、このシリアルデータ通信制御部２２６を通じて送られる。一方、ＣＰＵポート制御部２２８は、ＣＰＵ９０により出力された信号を出力するための制御部である。ここでは、予めＣＰＵから通常のシリアルデータ通信方式では生じない特定の信号状態がＣＰＵポート制御部２２８に向けて出力されている。ＣＰＵポート制御部２２８は、ＣＰＵ９０により指示された組合せの信号を通常のシリアルデータ通信方式では生じない特定の信号状態を表わす信号として、セレクタ回路２２２に向けて出力している。セレクタ回路２２２によって、４本の信号線『ＸＣＳ』、『ＳＣＬＫ』、『ＳＤＡＴＡ』および『ＸＲＥＳ』へ出力される信号が、シリアルデータ通信制御部２２６からＣＰＵポート制御部２２８へと切り替えることで、シリアルデータ通信制御部２２６によるシリアルデータ通信が中断されて、４本の信号線『ＸＣＳ』、『ＳＣＬＫ』、『ＳＤＡＴＡ』および『ＸＲＥＳ』には、ＣＰＵ９０により指示された組合せの信号がＣＰＵポート制御部２２８を通じて入力される。
【００６１】
（４）通常のシリアルデータ通信方式では生じない特定の信号状態
図８は、通常のシリアルデータ通信方式では生じない特定の信号状態の一例について説明したものである。ここで、４本の信号線『ＸＣＳ』、『ＳＣＬＫ』、『ＳＤＡＴＡ』および『ＸＲＥＳ』に入力される信号を例にして説明する。
【００６２】
同図中の上段には、通常のシリアルデータ通信方式で生じる信号状態について示している（図中白地の部分）。同図中の下段には、通常のシリアルデータ通信方式では生じない特定の信号状態の例について示している（図中灰色の部分）。
【００６３】
通常のシリアルデータ通信方式で生じる信号状態には、同図中上段（図中白地部分）に示すように、初期状態の場合と、アイドル時の場合と、シリアルデータ通信時の場合との３種類ある。初期状態の場合には、４本の信号線『ＸＣＳ』、『ＳＣＬＫ』、『ＳＤＡＴＡ』および『ＸＲＥＳ』のうちの『ＸＣＳ』のみが『１』となる。また、アイドル時の場合には、４本の信号線『ＸＣＳ』、『ＳＣＬＫ』、『ＳＤＡＴＡ』および『ＸＲＥＳ』のうちの『ＸＣＳ』および『ＸＲＥＳ』が『１』となる。また、シリアルデータ通信時には、４本の信号線『ＸＣＳ』、『ＳＣＬＫ』、『ＳＤＡＴＡ』および『ＸＲＥＳ』のうちの『ＸＣＳ』が『０』になり、かつ『ＸＲＥＳ』が『１』になる。
【００６４】
一方、通常のシリアルデータ通信方式では生じない特定の信号状態としては、同図中下段（図中灰色の部分）に示すように、（Ａ）『ＸＣＳ』が『０』のときに、『ＸＲＥＳ』が『０』となるとき、（Ｂ）『ＸＣＳ』が『１』のときに、『ＳＣＬＫ』および『ＳＤＡＴＡ』のうちの少なくともどちらか一方が『１』になるときとがある。４本の信号線『ＸＣＳ』、『ＳＣＬＫ』、『ＳＤＡＴＡ』および『ＸＲＥＳ』の信号状態が、これら（Ａ）または（Ｂ）に該当する信号状態になれば、通常のシリアルデータ通信方式では生じない信号状態に切り替わったことを検出することができる。
【００６５】
シリアルデータ受信部２１８の信号状態検出回路２２４は、４本の信号線『ＸＣＳ』、『ＳＣＬＫ』、『ＳＤＡＴＡ』および『ＸＲＥＳ』が、これら（Ａ）または（Ｂ）の信号状態に変更された場合には、通常のシリアルデータ通信方式では生じない信号状態にあるとして、これを検出することができる。そして、シリアルデータ受信部２１８の信号状態検出回路２２４は、直ちに緊急遮断処理回路２２０に伝達する。
【００６６】
なお、ここで、信号状態検出回路２２４は、４本の信号線『ＸＣＳ』、『ＳＣＬＫ』、『ＳＤＡＴＡ』および『ＸＲＥＳ』が、（Ａ）および（Ｂ）の全ての信号状態に切り替わったことを検出する必要はない。すなわち、信号状態検出回路２２４は、これら（Ａ）および（Ｂ）の信号状態のうちの少なくともいずれか１つに切り替わったことを検出すれば良い。つまり、信号状態検出回路２２４は、緊急遮断処理回路２２０にＣＰＵ９０からの命令を伝達するために予め取り決められた信号状態に切り替わったことを検出すれば良く、（Ａ）および（Ｂ）の全ての信号状態に切り替わったことを検出する必要はない。信号状態検出回路２２４が検出する４本の信号線『ＸＣＳ』、『ＳＣＬＫ』、『ＳＤＡＴＡ』および『ＸＲＥＳ』の信号状態としては、１種類であっても良く、また複数種類あっても良い。ここで複数種類あれば、信号状態検出回路２２４はＣＰＵから複数種類の命令を受けることが可能である。
【００６７】
また、セレクタ回路にあっては、通常のシリアルデータ通信方式では生じない信号状態として１種類の信号状態を４本の信号線『ＸＣＳ』、『ＳＣＬＫ』、『ＳＤＡＴＡ』および『ＸＲＥＳ』に出力する場合について説明したが、もちろん通常のシリアルデータ通信方式では生じない信号状態として２種類以上の信号状態を４本の信号線『ＸＣＳ』、『ＳＣＬＫ』、『ＳＤＡＴＡ』および『ＸＲＥＳ』に出力するように構成されていても良い。つまり、セレクタ回路にあっては、４本の信号線『ＸＣＳ』、『ＳＣＬＫ』、『ＳＤＡＴＡ』および『ＸＲＥＳ』の信号状態を複数種類の信号状態に切り替えられるように構成されていても良い。
【００６８】
（５）緊急遮断処理回路
そして、緊急遮断処理回路２２０は、シリアルデータ受信部２１８の信号状態検出回路２２４から、４本の信号線『ＸＣＳ』、『ＳＣＬＫ』、『ＳＤＡＴＡ』および『ＸＲＥＳ』が通常のシリアルデータ通信方式では生じない信号状態に切り替わったことを検出した旨の連絡が受けると、電源制御部２１４に対して液晶ディスプレイ８０の電力供給を緊急に遮断するための処理を実行させる。
【００６９】
（６）緊急遮断処理
図９および図１０は、緊急遮断処理回路２２０により実行される、液晶ディスプレイ８０への電力供給を緊急に遮断するための処理（以下、緊急遮断処理ともいう）について説明するためのものである。図９は、ＣＰＵ９０により実行される液晶ディスプレイの電力供給の通常の遮断処理について説明したものである。図１０は、緊急遮断処理回路２２０により実行される緊急遮断処理の一例を説明したものである。
【００７０】
ＣＰＵ９０により実行される通常の遮断処理は、ＣＰＵ９０によりシリアルデータ送信部２１６を通じてＬＣＤモジュール２００内の電源制御部２１４に対して液晶ディスプレイ８０の電力供給を遮断するためのコマンドを逐次送信して実行される。
【００７１】
ＣＰＵ９０は、操作パネル２の電源ボタン４２がユーザーにより操作されるなどして機器全体の電源をオフする旨の命令があると、図９に示すように、液晶ディスプレイ８０の電力供給を遮断するために、シリアルデータ送信部２１６を通じてＬＣＤモジュール２００に対して、液晶ディスプレイ８０のバックライトをオフするためのバックライトコマンドを送信する（『順序１』参照）。次に、ＣＰＵ９０は、シリアルデータ送信部２１６を通じてＬＣＤモジュール２００に対して、液晶ディスプレイ８０のＸドライバからのデータ出力を停止するための出力オフコマンドを送信する（『順序２』参照）。
【００７２】
その後、ＣＰＵ９０は、液晶ディスプレイ８０内の電荷が放電されるように所定の時間、ここでは最低５０［ｍｓ］、最大２５０［ｍｓ］待機する（『順序３』参照）。その待機の後、次に、ＣＰＵ９０は、シリアルデータ送信部２１６を通じてＬＣＤモジュール２００に対して、極性反転信号、走査線ドライバ駆動信号（Ｙドライバ）の出力停止を指示するパラメータを送信する（『順序４』参照）。次に、ＣＰＵ９０は、液晶ディスプレイにより極性反転信号、走査線ドライバ駆動信号（Ｙドライバ）の出力停止が実行されるまで、所定時間、ここでは、最大２００［μｓ］、最大５００［μｓ］待機する（『順序５』参照）。
【００７３】
そして、次にＣＰＵ９０は、シリアルデータ送信部２１６を通じてＬＣＤモジュール２００に対して、液晶ディスプレイ８０のＸドライバおよびＹドライバの電源をオフするための電源オフコマンドを送信する（『順序６』参照）。その後、ＣＰＵ９０は、液晶ディスプレイ用電力供給回路から電荷が放電されるように所定時間、ここでは、少なくとも１３０［ｍｓ］待機する（『順序７』参照）。その後、全体の電力供給が遮断される（『順序８』参照）。
【００７４】
これに対して、緊急遮断処理回路２２０により実行される緊急遮断処理は、緊急遮断処理回路２２０から電源制御部２１４に対して直接コマンド等を送信したり、また制御信号を出力したりすることによって直接実行される処理である。
【００７５】
緊急遮断処理回路２２０は、４本の信号線『ＸＣＳ』、『ＳＣＬＫ』、『ＳＤＡＴＡ』および『ＸＲＥＳ』の信号状態が通常のシリアルデータ通信方式では生じない信号状態に切り替わったことが信号状態検出回路２２４により検出されてその旨の連絡を受けると、まず、図１０に示すように、電源制御部２１４に対して、液晶ディスプレイ８０のバックライトをオフするためのバックライトコマンドを送信する（『順序１』参照）。次に、緊急遮断処理回路２２０は、液晶ディスプレイ８０のＸドライバからのデータ出力を停止するための出力オフコマンドを送信する（『順序２』参照）。その後、緊急遮断処理回路２２０は、液晶ディスプレイ８０内の電荷が放電されるように所定の時間、ここでは少なくとも３０［ｍｓ］待機する（『順序３』参照）。その待機の後、緊急遮断処理回路２２０は、液晶ディスプレイ８０にリセット信号を出力して、液晶ディスプレイ８０をリセットすることにより液晶ディスプレイ８０への電力供給を強制的に遮断する（『順序４』参照）。そして、液晶ディスプレイ用電力供給回路から電荷が放電されるように所定時間、ここでは、少なくとも１３０［ｍｓ］待機する（『順序５』参照）。その後、全体の電力供給が遮断される（『順序６』参照）。
【００７６】
このように緊急遮断処理回路２２０により実行される緊急遮断処理は、ＣＰＵ９０により実行される通常の遮断処理に比べてステップ数が少なく処理時間が短くなるようになっている。これにより、液晶ディスプレイ８０の電力供給を緊急時には速やかに遮断することができる。
【００７７】
（７）特定の信号状態の検出方法
ところで、４本の信号線『ＸＣＳ』、『ＳＣＬＫ』、『ＳＤＡＴＡ』および『ＸＲＥＳ』については、ノイズ等による影響により、セレクタ回路２２２によりシリアルデータ通信制御部２２６からＣＰＵポート制御部２２８へと切り替えられていない場合でも、通常のシリアルデータ通信方式では生じない信号状態になってしまう虞がある。このように４本の信号線『ＸＣＳ』、『ＳＣＬＫ』、『ＳＤＡＴＡ』および『ＸＲＥＳ』が、誤って通常のシリアルデータ通信方式では生じない信号状態になってしまうと、緊急遮断処理回路２２０が作動して、液晶ディスプレイ８０の電力供給を緊急に遮断する処理が実行されてしまう。これによって、機器（ここでは複合装置１）の電源供給が遮断されていないにもかかわらず、液晶ディスプレイ８０の表示がオフしてしまうことになる。
【００７８】
そこで、このような誤検出を防止するために、シリアルデータ受信部２１８の信号状態検出回路２２４には、例えば、次のような誤検出防止回路が組み込まれることが望ましい。図１１は、この誤検出防止回路２３０の一例を説明したものである。
【００７９】
この誤検出防止回路２３０は、複数結合されたＤフリップフロップＤＦＦ１〜ＤＦＦ３を備えている。ここでは、３個のＤフリップフロップＤＦＦ１〜ＤＦＦ３が結合されている。各ＤフリップフロップＤＦＦ１〜ＤＦＦ３には、それぞれクロック信号ＣＬＫが入力されている。
【００８０】
１段目のＤフリップフロップＤＦＦ１には、４本の信号線『ＸＣＳ』、『ＳＣＬＫ』、『ＳＤＡＴＡ』および『ＸＲＥＳ』の各信号のＡＮＤ回路Ａ１の出力が入力されている。このＡＮＤ回路Ａ１は、４本の信号線『ＸＣＳ』、『ＳＣＬＫ』、『ＳＤＡＴＡ』および『ＸＲＥＳ』の各信号状態が、通常のシリアルデータ通信方式では生じない信号状態か否かを検出する役割を果たす。すなわち、ここでは、４本の信号線『ＸＣＳ』、『ＳＣＬＫ』、『ＳＤＡＴＡ』および『ＸＲＥＳ』が、全て『Ｈ（High）』となった場合についてのみ、通常のシリアルデータ通信方式では生じない信号状態であるとしてＡＮＤ回路Ａ１が検出するようになっている。ＡＮＤ回路Ａ１は、４本の信号線『ＸＣＳ』、『ＳＣＬＫ』、『ＳＤＡＴＡ』および『ＸＲＥＳ』の各信号状態が通常のシリアルデータ通信方式では生じない信号状態であると検出した場合には、『Ｈ（High）』の信号を１段目のＤフリップフロップＤＦＦ１に向けて出力する。
【００８１】
ＡＮＤ回路Ａ１からの出力信号は、１段目のＤフリップフロップＤＦＦ１の入力端子（『Ｄ端子』）に入力される。ここで、１段目のＤフリップフロップＤＦＦ１の入力端子に、ＡＮＤ回路Ａ１から『Ｈ（High）』の信号が入力されると、１段目のＤフリップフロップＤＦＦ１は、次のクロックにて、出力端子（『Ｑ端子』）から『Ｈ（High）』の信号を出力する。この『Ｈ（High）』の信号は、２段目のＤフリップフロップＤＦＦ２の入力端子（『Ｄ端子』）に入力される。２段目のＤフリップフロップＤＦＦ２は、次のクロックにて、出力端子（『Ｑ端子』）から『Ｈ（High）』の信号を出力する。さらに、この『Ｈ（High）』の信号は、３段目のＤフリップフロップＤＦＦ３の入力端子（『Ｄ端子』）に入力される。３段目のＤフリップフロップＤＦＦ３は、次のクロックにて、出力端子（『Ｑ端子』）から『Ｈ（High）』の信号を出力する。
【００８２】
ＡＮＤ回路Ａ１からの出力信号が３クロック分、『Ｈ（High）』の状態に維持されれば、これら３つのＤフリップフロップＤＦＦ１〜ＤＦＦ３からの出力信号は、同時『Ｈ（High）』の状態になる。
【００８３】
これら３つのＤフリップフロップＤＦＦ１〜ＤＦＦ３からの出力信号は、ＡＮＤ回路Ａ２に入力される。ＡＮＤ回路Ａ２は、これら３つのＤフリップフロップＤＦＦ１〜ＤＦＦ３の出力信号が全て同時に『Ｈ（High）』になった場合にのみ、『Ｈ（High）』の信号を出力する。つまり、ＡＮＤ回路Ａ１の出力信号の『Ｈ（High）』の状態が、１段目のＤフリップフロップＤＦＦ１から３段目のＤフリップフロップＤＦＦ３へと信号が伝達される３クロック分以上の間維持されれば、ＡＮＤ回路Ａ２から『Ｈ（High）』の出力信号が出力されることになる。
【００８４】
ノイズ等による影響により、４本の信号線『ＸＣＳ』、『ＳＣＬＫ』、『ＳＤＡＴＡ』および『ＸＲＥＳ』が通常のシリアルデータ通信方式では生じない信号状態になったとしても極めて短い時間の間である。このことから、ＡＮＤ回路Ａ１からの出力信号が所定時間、『Ｈ（High）』になった場合についてのみ、４本の信号線『ＸＣＳ』、『ＳＣＬＫ』、『ＳＤＡＴＡ』および『ＸＲＥＳ』が通常のシリアルデータ通信方式では生じない信号状態になったと判定することで、誤検出を防止することができる。これによって、緊急遮断処理回路２２０が誤って作動してしまうことを回避することができる。
【００８５】
なお、ここでは、３個のＤフリップフロップＤＦＦ１〜ＤＦＦ３が用いられていたが、Ｄフリップフロップの数は、２個であっても良く、また４個以上であっても良い。Ｄフリップフロップの数が増えれば増えるほど、ノイズ等による影響をより十分に防止することができる。
【００８６】
また、ここでは、ノイズ等による影響をより防ぐための回路として、ＤフリップフロップＤＦＦ１〜ＤＦＦ３を備えた回路を例にして説明したが、他のタイプの回路を備えていても良い。
【００８７】
＝＝＝まとめ＝＝＝
本実施形態では、落雷等による停電やコンセントから抜かれるなどして、機器（ここでは、複合装置１）の電源供給が遮断された場合に、ＬＣＤモジュール２００に設けられた緊急遮断処理回路２２０によって電源制御部２１４を通じて液晶ディスプレイ８０の電源供給を遮断する処理を実行するから、ＣＰＵ９０の負担が軽減され、液晶ディスプレイ８０以外の他の部分の電源供給を遮断する処理をスムーズに行うことができる。また、ＣＰＵ９０の手間が軽減される分だけ、電力消費を抑制することができ、これにより、機器（ここでは、複合装置１）全体の電力供給を遮断するために必要な電力を確保するためのコンデンサ等の容量を削減することができる。
【００８８】
また、ＣＰＵから緊急遮断処理回路２２０への命令を伝達するために、シリアルデータ送信部２１６とシリアルデータ受信部２１８との間の４本の信号線『ＸＣＳ』、『ＳＣＬＫ』、『ＳＤＡＴＡ』および『ＸＲＥＳ』の信号状態を通常のシリアルデータ通信方式では生じない特定の信号状態に切り替えることで、通常のシリアルデータ通信により命令を伝達する場合に比べて、非常に短時間にかつすばやく簡単に命令を伝達することができる。このことから、機器（ここでは、複合装置１）の電源供給が遮断された後の電源保持時間を短くすることができ、必要な電力を確保するためのコンデンサ等の容量の削減を図ることができる。また、緊急状態を知らせるために専用の信号線等を用いないことから、特に信号線が増えることもなく、大幅な改変を必要とすることなく実施することができる。これにより、コストアップを招かずに済む。
【００８９】
＝＝＝その他の実施の形態＝＝＝
以上、一実施形態に基づきプリンタ等の印刷装置について説明したが、上記の実施の形態は、本発明の理解を容易にするためのものであり、本発明を限定して解釈するためのものではない。本発明は、その趣旨を逸脱することなく、変更または改良され得るとともに、本発明には、その等価物が含まれることは言うまでもない。特に、以下に述べる実施形態であっても、本発明に含まれるものである。
【００９０】
＜液晶表示部について＞
前述した実施の形態では、液晶表示部として、スキャナ機能と、プリンタ機能と、ローカルコピー機能とを備えた複合装置１に搭載された液晶ディスプレイ８０を例にして説明したが、ここでいう液晶表示部にあっては、どのような液晶表示部であっても構わない。例えば、ノートパソコンやデスクトップパソコンなどにて用いられる液晶ディスプレイ等や、そのほか、携帯電話や各種機器に搭載される液晶表示部も、ここでいう「液晶表示部」に含まれる。
【００９１】
＜複数の信号線について＞
前述した実施の形態では、データ送信部からデータ受信部へとシリアルデータ通信方式によりデータを送信するために用いられる複数の信号線として、チップセレクト信号線（『ＸＣＳ』）と、クロック信号線（『ＳＣＬＫ』）と、データ信号線（『ＳＤＡＴＡ』）と、リセット信号『ＸＲＥＳ』）との４本の信号線を備えた場合を例にして説明したが、ここでいう「複数の信号線」にあっては、必ずしもこのようなタイプの信号線のみに限定されるものではない。つまり、ここでいう「複数の信号線」にあっては、シリアルデータ通信に用いられる信号線であれば、このような種類の４本の信号線のみに限られるものではなく、５本以上の信号線により構成されていても良く、また、他の種類の信号線を備えていても良い。
【００９２】
＜切り替え回路について＞
前述した実施の形態では、「切り替え回路」として、ＣＰＵ９０からの命令により４本の信号線『ＸＣＳ』、『ＳＣＬＫ』、『ＳＤＡＴＡ』および『ＸＲＥＳ』への出力をシリアルデータ通信制御部２２６からＣＰＵポート制御部２２８へと切り替えるセレクタ回路２２２を例にして説明されていたが、ここでいう「切り替え回路」にあっては、必ずしもこのようなセレクタ回路２２２により構成される必要はない。つまり、複数の信号線（ここでは、『ＸＣＳ』、『ＳＣＬＫ』、『ＳＤＡＴＡ』および『ＸＲＥＳ』）の信号状態を通常のシリアルデータ通信方式では生じない特定の信号状態に切り替える回路であれば、どのようなタイプの切り替え回路であっても良い。つまり、必ずしもセレクタ回路２２２のように、ＣＰＵポート制御部２２８へと切り替えるような構成にする必要はない。
【００９３】
「切り替え回路」によって生成される、通常のシリアルデータ通信方式では生じない特定の信号状態は、複数種類あっても構わない。また、「切り替え回路」は、必ずしもＣＰＵからの命令等により切り替え動作を実行する必要はない。つまり、機器（複合装置１）の電源供給が遮断された場合以外のその他の場合において、「切り替え回路」が特定の信号状態に切り替える動作を行っても良い。この場合、液晶ディスプレイ８０（液晶表示部）の電力供給を緊急に遮断するときのみに限られるものではない。つまり、液晶ディスプレイ８０（液晶表示部）の電力供給を緊急に遮断する場合以外の場合に、「切り替え回路」が切り替え動作を行っても良い。
【００９４】
＜特定の信号状態について＞
前述した実施の形態では、「特定の信号状態」として、４本の信号線『ＸＣＳ』、『ＳＣＬＫ』、『ＳＤＡＴＡ』および『ＸＲＥＳ』の各信号状態の組合せにより規定される信号状態。つまり、信号状態が『０(Low)』か『１(High)』の場合を例にして説明したが、ここでいう「特定の信号状態」にあっては、必ずしもこのような『０(Low)』か『１(High)』の信号状態の組合せによって規定される信号状態に限定されるものではない。つまり、複数の信号線の例えば、信号レベル等により、「特定の信号状態」が規定されても構わない。
【００９５】
なお、「特定の信号状態」としては、シリアルデータ通信方式に用いられる複数の信号線のうちの一部の信号線の信号状態により規定されても良い。すなわち、例えば、前述した実施の形態では、例えば、４本の信号線『ＸＣＳ』、『ＳＣＬＫ』、『ＳＤＡＴＡ』および『ＸＲＥＳ』のうち、『ＸＣＳ』、『ＳＣＬＫ』および『ＳＤＡＴＡ』の３本により規定しても構わない。また、この他の組合せにより規定しても良い。
【００９６】
＜遮断処理回路について＞
前述した実施の形態では、「遮断処理回路」として緊急遮断処理回路２２０が、液晶ディスプレイ８０（液晶表示部）の電力の供給を遮断するための処理として、図１０にて説明したような緊急遮断処理を実行していたが、ここでいう「遮断処理回路」にあっては、必ずしもこのような処理によって、液晶ディスプレイ８０（液晶表示部）の電力の供給を遮断する必要はない。つまり、液晶ディスプレイ８０（液晶表示部）の電力の供給を遮断する処理については、液晶ディスプレイ８０（液晶表示部）の種類や構成等によって適宜設定されるものであり、それぞれ個別に手法が異なる。
【００９７】
なお、ＣＰＵ９０等により実行される、データ受信部が前記データとして受信した命令に従って実行する通常遮断処理の場合についても同様に、液晶ディスプレイ８０（液晶表示部）の電力の供給を遮断する処理については、液晶ディスプレイ８０（液晶表示部）の種類や構成等によって適宜設定されるものであり、それぞれ個別に手法が異なる。
【図面の簡単な説明】
【００９８】
【図１】複合装置の全体斜視図。
【図２】複合装置のスキャナ部の説明図。
【図３】複合装置のプリンタ部の説明図。
【図４】複合装置の操作パネルの説明図。
【図５】複合装置の制御部の構成の一例を説明する説明図。
【図６】複合装置のＬＣＤモジュールの構成の一例を説明する説明図。
【図７】ＣＰＵから緊急遮断処理回路への命令の伝達方法の説明図。
【図８】通常のシリアルデータ通信方式では生じない特定の信号状態の説明図。
【図９】通常遮断処理の一例の説明図。
【図１０】緊急遮断処理の一例の説明図。
【図１１】誤検出防止回路の一例の説明図。
【符号の説明】
【００９９】
１  複合装置、２  操作パネル、５  原稿、
１０  スキャナ部、１１  原稿台、１２  原稿台カバー、
２０  カードリーダ部、２２  背部給紙口、２３  前部給紙口、２４  排紙トレイ、
２５  インクカートリッジカバー、２６  インクカートリッジ、
３０  プリンタ部、３４  ヒンジ部、４１  キャリッジ、
４２  電源ボタン、４３  設定ボタン、４４  ストップボタン、
４５  モード選択ボタン、４６  カーソル操作ボタン群、４７  スタートボタン
４７Ｃ  カラーボタン、４７Ｂ  モノクロボタン
５０  制御部、８０  液晶ディスプレイ、
９０  ＣＰＵ、９２  メモリ、９４  制御ＡＳＩＣ、９６  ＳＤＲＡＭ、
９８  ＣＰＵバス、１０２  ＡＳＩＣ用ＳＤＲＡＭ、
１０４  スキャナコントロールユニット、１０６  リサイズユニット、
１０８  ２値化処理ユニット、１１０  インターレース処理ユニット、
１１２  イメージバッファユニット、１１４  ＣＰＵインターフェイスユニット、
１１６  ヘッドコントロールユニット、１１８  ＵＳＢインターフェイス、
１２０  ラインバッファ、１２２  リサイズバッファ、
１２４  インターレースバッファ、１２６  イメージバッファ、
１２７  イメージバッファ、１２８  ローカルバス、１３２  イメージバッファ、
１３３  イメージバッファ、１３４  イメージバッファ、
１３６  ルックアップテーブル、１４０  ホストコンピュータ、
１４２  操作入力インターフェイス、１４４  ＬＣＤモジュールインターフェイス、
１４６  操作部、２００  ＬＣＤモジュール、２０２  コントロールユニット、
２０４  フレームメモリコントローラ、２０６  フレームメモリ、
２０８  タイミングコントローラ、２１２  通信インターフェイス、
２１４  電源制御部、２１６  シリアルデータ送信部、
２１８  シリアルデータ受信部、２２０  緊急遮断処理回路、
２２２  セレクタ回路、２２４  信号状態検出回路、
２２６  シリアルデータ通信制御部、２２８  ＣＰＵポート制御部、
２３０  誤検出防止回路
【図１】
0004811009.tif 000002
【図２】
0004811009.tif 000003
【図３】
0004811009.tif 000004
【図４】
0004811009.tif 000005
【図５】
0004811009.tif 000006
【図６】
0004811009.tif 000007
【図７】
0004811009.tif 000008
【図９】
0004811009.tif 000009
【図１０】
0004811009.tif 000010
【図１１】
0004811009.tif 000011
【図８】
0004811009.tif 000012